【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
少なくとも２つのフォーマットを有するデータパケットをワイヤレスで受信するように構成された受信機と、前記受信機が、前記２つのフォーマットのうちの少なくとも１つのデータパケットを検出するように構成された第１の検出器と、前記２つのフォーマットのうちの別のデータパケットを検出するように構成された第２の検出器とを備え、前記第１の検出器および第２の検出器が、並列に動作する、
受信されたデータパケットが前記第１の検出器によって検出されたのか前記第２の検出器によって検出されたのかに少なくとも部分的に基づいて、前記受信されたデータパケットを処理するように構成されたプロセッサと、前記少なくとも１つのフォーマットの前記データパケット及び前記別のフォーマットの前記データパケットが、それぞれ、複数の信号フィールドシンボルを備えた信号フィールドを備え、前記少なくとも１つのフォーマットの前記信号フィールドが、前記別のフォーマットの前記信号フィールドよりも長く、前記少なくとも１つのフォーマットの前記データパケット及び前記別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記少なくとも１つのフォーマットの前記信号フィールドが、４回反復される複数のビットを備える、
を具備する、ワイヤレス通信のための装置。
【請求項２】
前記フォーマットの各々の前記１つまたは複数のトレーニングフィールドが第１のトレーニングフィールドを含む、請求項１に記載の装置。
【請求項３】
前記第１の検出器が、前記少なくとも１つのフォーマットの前記第１のトレーニングフィールドに少なくとも部分的に基づいて前記少なくとも１つのフォーマットのパケットを検出するように構成され、前記第２の検出器が、前記別のフォーマットの前記第１のトレーニングフィールドに少なくとも部分的に基づいて前記別のフォーマットのパケットを検出するように構成された、請求項２に記載の装置。
【請求項４】
前記少なくとも１つのフォーマットの前記複数のトレーニングフィールドシンボルが、前記別のフォーマットの前記複数のトレーニングフィールドシンボルに対して反転される、請求項１に記載の装置。
【請求項５】
少なくとも２つのフォーマットを有するデータパケットをワイヤレスで受信するように構成された受信機と、前記受信機が、前記２つのフォーマットのうちの少なくとも１つのデータパケットを検出するように構成された第１の検出器と、前記２つのフォーマットのうちの別のデータパケットを検出するように構成された第２の検出器とを備える、
受信されたデータパケットが前記第１の検出器によって検出されたのか前記第２の検出器によって検出されたのかに少なくとも部分的に基づいて、前記受信されたデータパケットを処理するように構成され、前記少なくとも１つのフォーマットの前記データパケットおよび前記別のフォーマットの前記データパケットが、それぞれ、複数の信号フィールドシンボルを備えた信号フィールドを備え、前記少なくとも１つのフォーマットの前記信号フィールドが、前記別のフォーマットの前記信号フィールドよりも長く、前記少なくとも１つのフォーマットの前記データパケット及び前記別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記少なくとも１つのフォーマットの前記信号フィールドが、４回反復される複数のビットを備える、プロセッサと
を備える、ワイヤレス通信のための装置。
【請求項６】
前記複数のビットが１９ビットを備える、請求項５に記載の装置。
【請求項７】
少なくとも２つのフォーマットを有するデータパケットをワイヤレスで受信するように構成された受信機と、前記受信機が、前記２つのフォーマットのうちの少なくとも１つのデータパケットを検出するように構成された第１の検出器と、前記２つのフォーマットのうちの別のデータパケットを検出するように構成された第２の検出器とを備える、
受信されたデータパケットが前記第１の検出器によって検出されたのか前記第２の検出器によって検出されたのかに少なくとも部分的に基づいて、前記受信されたデータパケットを処理するように構成され、前記別のフォーマットの前記データパケットが、それぞれ、ペイロード並びに第１の２シンボルトレーニングフィールド、第２の２シンボルトレーニングフィールド及び２シンボル信号フィールドを備えるプリアンブルを含み、前記少なくとも１つのフォーマットの前記データパケットが、それぞれ、ペイロード並びに第１の４シンボルトレーニングフィールド、第２の４シンボルトレーニングフィールド及び５シンボルまたは６シンボル信号フィールドを備えるプリアンブルを含む、プロセッサと
を備える、ワイヤレス通信のための装置。
【請求項８】
前記２つのフォーマットのうちの１つのデータパケットが、高度機能のための情報を備える拡張フィールドを含む、請求項１に記載の装置。
【請求項９】
前記高度機能が、開ループ多入力多出力送信、低密度パリティチェック、シングルユーザ多入力多出力、ミッドアンブルの使用、時空間ブロックコーディングの使用、部分アソシエーション識別子の使用のうちの少なくとも１つを含む、請求項８に記載の装置。
【請求項１０】
少なくとも２つのフォーマットのうちの１つを有するデータパケットをワイヤレスで受信することと、
それぞれのデータパケットフォーマットを検出するように構成された少なくとも２つの検出器のうちの１つを使用して、前記受信されたデータパケットのフォーマットを検出することと、前記少なくとも２つの検出器が、並列に動作する、
複数の信号フィールドシンボルを備えることと、第１のフォーマットの信号フィールドが、第２のフォーマットの信号フィールドよりも長く、前記少なくとも１つのフォーマットの前記データパケット及び別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記第１のフォーマットの前記信号フィールドが、４回反復される複数のビットを備える、
を具備する、プロセッサによって実行されるワイヤレス通信の方法。
【請求項１１】
前記フォーマットの各々の前記１つまたは複数のトレーニングフィールドが第１のトレーニングフィールドを含む、請求項１０に記載の方法。
【請求項１２】
前記２つの検出器のうちの第１の検出器が、前記少なくとも１つのフォーマットの前記第１のトレーニングフィールドに少なくとも部分的に基づいて前記第１のフォーマットのパケットを検出するように構成され、前記２つの検出器のうちの第２の検出器が、前記別のフォーマットの前記第１のトレーニングフィールドに少なくとも部分的に基づいて前記第２のフォーマットのパケットを検出するように構成された、請求項１１に記載の方法。
【請求項１３】
前記少なくとも１つのフォーマットの前記複数のトレーニングフィールドシンボルが、前記別のフォーマットの前記複数のトレーニングフィールドシンボルに対して反転される、請求項１０に記載の方法。
【請求項１４】
少なくとも２つのフォーマットのうちの１つを有するデータパケットをワイヤレスで受信することと、
それぞれのデータパケットフォーマットを検出するように構成された少なくとも２つの検出器のうちの１つを使用して、前記受信されたデータパケットのフォーマットを検出することと、
複数の信号フィールドシンボルを備えることと、少なくとも１つのフォーマットの信号フィールドが、別のフォーマットの信号フィールドよりも長く、前記少なくとも１つのフォーマットの前記データパケット及び前記別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、第１のフォーマットの前記信号フィールドが、４回反復される複数のビットを備える、
を具備する、ワイヤレス通信の方法。
【請求項１５】
前記複数のビットが１９ビットを備える、請求項１４に記載の方法。
【請求項１６】
少なくとも２つのフォーマットのうちの１つを有するデータパケットをワイヤレスで受信することと、
それぞれのデータパケットフォーマットを検出するように構成された少なくとも２つの検出器のうちの１つを使用して、前記受信されたデータパケットのフォーマットを検出することと、
前記検出されたフォーマットに基づいて、前記受信されたデータパケットを処理することと、第２のフォーマットの前記データパケットが、それぞれ、ペイロード並びに第１の２シンボルトレーニングフィールド、第２の２シンボルトレーニングフィールド及び２シンボル信号フィールドを備えるプリアンブルを含み、第１のフォーマットの前記データパケットが、それぞれ、ペイロード並びに第１の４シンボルトレーニングフィールド、第２の４シンボルトレーニングフィールド及び５シンボルまたは６シンボル信号フィールドを備えるプリアンブルを含む、
を具備する、ワイヤレス通信の方法。
【請求項１７】
前記２つのフォーマットのうちの１つのデータパケットが、高度機能のための情報を備える拡張フィールドを含む、請求項１０に記載の方法。
【請求項１８】
前記高度機能が、開ループ多入力多出力送信、低密度パリティチェック、シングルユーザ多入力多出力、ミッドアンブルの使用、時空間ブロックコーディングの使用、部分アソシエーション識別子の使用のうちの少なくとも１つを含む、請求項１７に記載の方法。
【請求項１９】
少なくとも２つのフォーマットのうちの１つを有するデータパケットをワイヤレスで受信する手段と、
前記受信されたデータパケットが第１のフォーマットを有するかどうかを検出する第１の手段と、
前記受信されたデータパケットが第２のフォーマットを有するかどうかを検出する第２の手段と、前記第１および第２の手段が、並列に動作する、
複数の信号フィールドシンボルを備えることと、少なくとも１つのフォーマットの信号フィールドが、別のフォーマットの信号フィールドよりも長く、前記少なくとも１つのフォーマットの前記データパケット及び前記別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記少なくとも１つのフォーマットの前記信号フィールドが、４回反復される複数のビットを備える、
を具備する、ワイヤレス通信のための装置。
【請求項２０】
実行されたとき、装置に、
少なくとも２つのフォーマットのうちの１つを有するデータパケットをワイヤレスで受信することと、
前記２つのフォーマットのうちの少なくとも１つのデータパケット及び前記２つのフォーマットのうちの別のデータパケットを検出するように構成された少なくとも２つの検出器のうちの１つを使用して、前記受信されたデータパケットのフォーマットを検出することと、前記少なくとも２つの検出器が、並列に動作する、
複数の信号フィールドシンボルを備えることと、少なくとも１つのフォーマットの信号フィールドが、別のフォーマットの信号フィールドよりも長く、前記少なくとも１つのフォーマットの前記データパケット及び前記別のフォーマットの前記データパケットは、それぞれ、複数のトレーニングフィールドシンボルを備えた１つまたは複数のトレーニングフィールドをさらに備え、前記少なくとも１つのフォーマットの前記信号フィールドの前記複数の信号フィールドシンボルは、前記別のフォーマットの前記信号フィールドの前記複数の信号フィールドシンボルよりも大きく、前記少なくとも１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記少なくとも１つのフォーマットの前記信号フィールドが、４回反復される複数のビットを備える、
を行わせる、命令を備える非一時的なコンピュータ可読媒体。
【請求項２１】
複数のトレーニングフィールドシンボルを備えたトレーニングフィールドを備える少なくとも２つのデータパケットフォーマットからデータパケットフォーマットを選択するように構成されたプロセッサと、前記少なくとも２つのデータパケットフォーマットが、複数の信号フィールドシンボルを備えた信号フィールドをさらに備え、前記データパケットフォーマットのうちの１つの前記トレーニングフィールドが、前記データパケットフォーマットのうちの別の前記トレーニングフィールド中でよりも多くの回数反復されるシーケンスを含み、前記１つのフォーマットの前記信号フィールドの前記複数の信号フィールドシンボルは、前記別のフォーマットの前記信号フィールドの前記複数の信号フィールドシンボルよりも大きく、前記１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記１つのフォーマットの前記信号フィールドが、４回反復される複数のビットを備える、
前記選択されたデータパケットフォーマットを使用してワイヤレス通信を送信するように構成された送信機と、
を備える、ワイヤレス通信のための装置。
【請求項２２】
前記フォーマットの各々の前記１つまたは複数のトレーニングフィールドが第１のトレーニングフィールドを含む、請求項２１に記載の装置。
【請求項２３】
前記１つのフォーマットの前記１つまたは複数のトレーニングフィールドの一部分が、前記別のフォーマットの前記１つまたは複数のトレーニングフィールドの一部分に対して反転される、請求項２１に記載の装置。
【請求項２４】
前記複数のビットが１９ビットを備える、請求項２１に記載の装置。
【請求項２５】
前記別のフォーマットの前記データパケットが、それぞれ、ペイロード並びに第１の２シンボルトレーニングフィールド、第２の２シンボルトレーニングフィールド及び２シンボル信号フィールドを備えるプリアンブルを含み、前記１つのフォーマットの前記データパケットが、それぞれ、ペイロード並びに第１の４シンボルトレーニングフィールド、第２の４シンボルトレーニングフィールド、及び５シンボルまたは６シンボル信号フィールドを備えるプリアンブルを含む、請求項２１に記載の装置。
【請求項２６】
前記２つのフォーマットのうちの１つのデータパケットが、高度機能のための情報を備える拡張フィールドを含む、請求項２１に記載の装置。
【請求項２７】
前記高度機能が、開ループ多入力多出力送信、低密度パリティチェック、シングルユーザ多入力多出力、ミッドアンブルの使用、時空間ブロックコーディングの使用、部分アソシエーション識別子の使用のうちの少なくとも１つを含む、請求項２６に記載の装置。
【請求項２８】
複数のトレーニングフィールドシンボルを備えたトレーニングフィールドを備える少なくとも２つのデータパケットフォーマットからデータパケットフォーマットを選択すること、前記少なくとも２つのデータパケットフォーマットは、複数の信号フィールドシンボルを備えた信号フィールドをさらに備え、前記データパケットフォーマットのうちの１つの前記トレーニングフィールドが、前記データパケットフォーマットのうちの別の前記トレーニングフィールド中でよりも多くの回数反復されるシーケンスを含み、前記１つのフォーマットの前記信号フィールドの前記複数の信号フィールドシンボルは、前記別のフォーマットの前記信号フィールドの前記複数の信号フィールドシンボルよりも大きく、前記１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記１つのフォーマットの前記信号フィールドが、４回反復される複数のビットを備える、
前記選択されたデータパケットフォーマットを使用してワイヤレス通信を送信することと
を備える、プロセッサによって実行されるワイヤレス通信の方法。
【請求項２９】
前記フォーマットの各々の前記１つまたは複数のトレーニングフィールドが第１のトレーニングフィールドを含む、請求項２８に記載の方法。
【請求項３０】
前記１つのフォーマットの前記１つまたは複数のトレーニングフィールドの一部分が、前記別のフォーマットの前記１つまたは複数のトレーニングフィールドの一部分に対して反転される、請求項２８に記載の方法。
【請求項３１】
前記複数のビットが１９ビットを備える、請求項２８に記載の方法。
【請求項３２】
前記別のフォーマットの前記データパケットが、それぞれ、ペイロード並びに第１の２シンボルトレーニングフィールド、第２の２シンボルトレーニングフィールド、及び２シンボル信号フィールドを備えるプリアンブルを含み、前記１つのフォーマットの前記データパケットが、それぞれ、ペイロード並びに第１の４シンボルトレーニングフィールド、第２の４シンボルトレーニングフィールド、及び５シンボルまたは６シンボル信号フィールドを備えるプリアンブルを含む、請求項２８に記載の方法。
【請求項３３】
前記２つのフォーマットのうちの１つのデータパケットが、高度機能のための情報を備える拡張フィールドを含む、請求項２８に記載の方法。
【請求項３４】
前記高度機能が、開ループ多入力多出力送信、低密度パリティチェック、シングルユーザ多入力多出力、ミッドアンブルの使用、時空間ブロックコーディングの使用、部分アソシエーション識別子の使用のうちの少なくとも１つを含む、請求項３３に記載の方法。
【請求項３５】
複数のトレーニングフィールドシンボルを備えたトレーニングフィールドを備える少なくとも２つのデータパケットフォーマットからデータパケットフォーマットを選択するための手段と、前記少なくとも２つのデータパケットフォーマットが複数の信号フィールドシンボルを備えた信号フィールドをさらに備え、前記データパケットフォーマットのうちの１つの前記トレーニングフィールドが、前記データパケットフォーマットのうちの別の前記トレーニングフィールド中でよりも多くの回数反復されるシーケンスを含み、前記１つのフォーマットの前記信号フィールドの前記複数の信号フィールドシンボルは、前記別のフォーマットの前記信号フィールドの前記複数の信号フィールドシンボルよりも大きく、前記１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記１つのフォーマットの前記信号フィールドが、４回反復される複数のビットを備える、
前記選択されたデータパケットフォーマットを使用してワイヤレス通信を送信するための手段と
を備える、ワイヤレス通信のための装置。
【請求項３６】
実行されたとき、装置に、
複数のトレーニングフィールドシンボルを備えたトレーニングフィールドを備える少なくとも２つのデータパケットフォーマットからデータパケットフォーマットを選択することと、前記少なくとも２つのデータパケットフォーマットは、複数の信号フィールドシンボルを備えた信号フィールドをさらに備え、前記データパケットフォーマットのうちの１つの前記トレーニングフィールドが、前記データパケットフォーマットのうちの別の前記トレーニングフィールド中でよりも多くの回数反復されるシーケンスを含み、前記１つのフォーマットの前記信号フィールドの前記複数の信号フィールドシンボルは、前記別のフォーマットの前記信号フィールドの前記複数の信号フィールドシンボルよりも大きく、前記１つのフォーマットの前記１つまたは複数のトレーニングフィールドのうちの前記複数のトレーニングフィールドシンボルは、前記別のフォーマットの前記１つまたは複数のトレーニングフィールドの前記複数のトレーニングフィールドシンボルよりも大きく、前記１つのフォーマットの前記信号フィールドが、４回反復される複数のビットを備える、
前記選択されたデータパケットフォーマットを使用してワイヤレス通信を送信することと
を行わせる、命令を備えるコンピュータ可読記憶媒体。